(57)【特許請求の範囲】
【請求項１】
互いに交差される支柱のそれぞれの側面から挟着される一対の略Ｃ形の取付具から構成され、一方の取付具の支柱挟着面の背面にはくびれ部を有するツバ付き状の係止頭部が形成され、他方の取付具の支柱挟着面の背面には一方の取付具の前記くびれ部が挿入される挿入部が設けられるとともに、この挿入部に連通して軸孔が設けられ、この軸孔の内方へ突出される係止縁部が形成され、この係止縁部に係止頭部が係止されて一方の取付具が他方の取付具にくびれ部を軸として回動自在に保持されてなる合成樹脂製の弾性体からなる園芸支柱用交差留め具であって、くびれ部の断面は長径部と短径部とを有する非円形状となされ、他方の取付具の挿入部から軸孔への連通部における幅寸法が、くびれ部の短径部の幅寸法よりわずかに小さい寸法となされて、一旦くびれ部が係止縁部の突出された軸孔まで挿入された後には、くびれ部が長径部のみならず短径部からも挿入部へ逆戻りしないようになされたことを特徴とする園芸支柱用交差留め具。
【請求項２】
互いに交差される支柱のそれぞれの側面から挟着される一対の略Ｃ形の取付具から構成され、一方の取付具の支柱挟着面の背面にはくびれ部を有するツバ付き状の係止頭部が形成され、他方の取付具の支柱挟着面の背面には一方の取付具の前記くびれ部が挿入される挿入部が設けられるとともに、この挿入部に連通して軸孔が設けられ、この軸孔の内方へ突出される係止縁部が形成され、この係止縁部に係止頭部が係止されて一方の取付具が他方の取付具にくびれ部を軸として回動自在に保持されてなり、前記一対の取付具は、くびれ部の中心を軸として回動させた際互いに慴動する慴動面がそれぞれの取付具の背面に相対して形成され、該一対の取付具の慴動面の少なくともいずれか一方の表面に他方の取付具の慴動面を押圧する凸部が形成されてなることを特徴とする園芸支柱用交差留め具。
【請求項３】
凸部は、挿入部から軸孔に至る方向に対しほぼ直交する方向に形成された突条であることを特徴とする請求項２記載の園芸支柱用交差留め具。
【請求項４】
突条は、軸孔をはさんでその両側に形成されたことを特徴とする請求項３記載の園芸支柱用交差留め具。
【発明の詳細な説明】
【０００１】
【発明の属する技術分野】
本発明は、植物の蔓巻き用，低木支持，簡易ハウスなど園芸用途に骨格として用いられる支柱が交差する部分を接続する取付具に関するものである。
【０００２】
【従来の技術】
従来、蔓植物の下地、草木等植物の茎の支持、拡がりの矯正など草木等植物の植物周辺に立設された支柱に交差する支柱を組み合わせて骨格とし、あるいは風雨除け・温湿度管理のため薄いフィルムと共に用いて簡易ハウスの骨格として、交差する支柱の締結には紐や針金が用いられ、より作業性の良い方法として支柱に嵌め込みできるＣ形の板状金具２個をリベットで締結したクリップ式のものが用いられ、さらに実用新案登録第３０１４４２９号において一対の樋形状部材の各々に円錐状の係合突起とその係合孔とを形成し、それぞれを回動可能かつ着脱可能に接続して構成した支柱締結具が提案されており、直径の異なる支柱に対しても必要に応じて組み合わせて交差させて接続を可能にしている。
【０００３】
【発明が解決しようとする課題】
しかしながら、実用新案登録第３０１４４２９号で提案の支柱締結具は紐や針金を用いる従来方法の作業性の改善を果たしてはいるものの、係合孔に対応する逆テーパの係合突起のその中心を横断するスリットによる係合突起の縮径の作用によって一対の樋形状部材の組み立てが強制的に嵌め込んでなされているため、その嵌合接続強度を上回るような力、例えば人や園芸作業中の作業具の強い接触等不意の力や強い風雨による力、その他支柱により支持されていた植物の成長による小枝の張り出し等の強い力がかかった際には、対をなす樋形状部材の接続が外れて交差する支柱の締結が解かれてしまい、また一対の樋形状部材の着脱使用を繰り返して行った際にはそれらの接続が強制力により嵌め込まれているため、接続強度が弱くなって所定の強さでの接続が持続されないというような耐久性の点での問題を有している。
【０００４】
【課題を解決するための手段】
そこで、本発明においては、回動可能かつ着脱可能な取付具で構成する支柱用交差留め具の接続部を、通常の使用中にかかる接続強度以外に人や園芸作業具の強い接触や強い風雨などの力に影響されることなく、さらには耐久性においても一定の接続強度を持続して確保できるよう、強制力によらない安定した接続方法によって組み立てられ構成される園芸支柱用交差留め具を提供するものである。
【０００５】
上記の目的を達成するために、本発明園芸支柱用交差留め具は、互いに交差される支柱のそれぞれの側面から挟着される一対の略Ｃ形の取付具から構成され、一方の取付具の支柱挟着面の背面にはくびれ部を有するツバ付き状の係止頭部が形成され、他方の取付具の支柱挟着面の背面には一方の取付具の前記くびれ部が挿入される挿入部が設けられるとともに、この挿入部に連通して軸孔が設けられ、この軸孔の内方へ突出される係止縁部が形成され、この係止縁部に係止頭部が係止されて一方の取付具が他方の取付具にくびれ部を軸として回動自在に保持されてなる合成樹脂製の弾性体からなる園芸支柱用交差留め具であって、くびれ部の断面は長径部と短径部とを有する非円形状となされ、他方の取付具の挿入部から軸孔への連通部における幅寸法が、くびれ部の短径部の幅寸法よりわずかに小さい寸法となされて、一旦くびれ部が係止縁部の突出された軸孔まで挿入された後には、くびれ部が長径部のみならず短径部からも挿入部へ逆戻りしないようになされたものである。
【０００９】
また、互いに交差される支柱のそれぞれの側面から挟着される一対の略Ｃ形の取付具から構成され、一方の取付具の支柱挟着面の背面にはくびれ部を有するツバ付き状の係止頭部が形成され、他方の取付具の支柱挟着面の背面には一方の取付具の前記くびれ部が挿入される挿入部が設けられるとともに、この挿入部に連通して軸孔が設けられ、この軸孔の内方へ突出される係止縁部が形成され、この係止縁部に係止頭部が係止されて一方の取付具が他方の取付具にくびれ部を軸として回動自在に保持されてなり、前記一対の取付具は、くびれ部の中心を軸として回動させた際互いに慴動する慴動面がそれぞれの取付具の背面に相対して形成され、前記した一対の取付具の慴動面の少なくともいずれか一方の表面に他方の取付具の慴動面を押圧する凸部が形成されてなることを特徴とするものである。
【００１０】
さらにまた、本発明園芸支柱用交差留め具において、その凸部は、挿入部から軸孔に至る方向に対しほぼ直交する方向に形成された突条となされたことに特徴づけられるものである。
【００１１】
そしてその突条は、本発明園芸支柱用交差留め具においては、軸孔をはさんでその両側に形成されたことに特徴づけられるものである。
【００１２】
【発明の実施の形態】
以下、図面に基づいて本発明園芸支柱用交差留め具について詳述する。
図１は、本発明園芸支柱用交差留め具の第一の実施形態例の組み合わせを表す斜視図、図２は第一の実施形態の例において、一方の取付具のくびれ部を他方の取付具の挿入部から挿入させた後軸孔においてくびれ部を中心として回転させる状況を説明する一部断面の正面図である。
【００１３】
図１において、支柱１，１´のそれぞれの側面から挟着される一対の略Ｃ形の取付具２，３が背面で回動自在に接続され、図７中の部分拡大図に示すように、（ａ）〜（ｄ）等の園芸用途において互いに交差する支柱を固定させ用いられ、支柱１の側面から挟着された取付具２の支柱挟着面２０の背面にくびれ部２２を有するツバ付き状の係止頭部２１が形成され、対するもう一方支柱１´側面から挟着された取付具３の支柱挟着面３０の背面には取付具２のくびれ部２２が挿入される挿入部３１が設けられるとともに、この挿入部３１に連通して軸孔３２が設けられ、さらに軸孔３２の内方へ突出される係止縁部３３が形成されて、この係止縁部３３に取付具２の係止頭部２１が係止されて取付具２のくびれ部２２を軸として取付具２が取付具３に保持されてなるものである。
【００１４】
その接続過程を部分拡大図によって示したものが図２であり、同図において、（ａ）：取付具２のくびれ部２２が、（ｂ）：取付具３の挿入部３１から差し入れられ、同図（ａ）＋（ｂ）：軸孔３２まで達した後、（ｃ）：くびれ部２２の回転がなされて接続される支柱１，１´の交差角度の調節がなされる状態を説明したものである。
【００１５】
なお、くびれ部２２の断面形状は円形状の回転し易いものとなされているのが好ましいが、本実施の形態例においては、くびれ部２２の断面は円形の２ヶ所が平行に切り欠かれた形状となされた長径部〔図中：Ｄ〕と短径部〔図中：Ｂ〕とを有する非円形状となされ、この長径部（円形部分の直径寸法）に対し取付具３の係止縁部３３を形成する円形部分の直径寸法はほぼ同一か僅かに大きいものとなされ、またくびれ部２２の短径部（くびれ部の断面最小幅）の寸法Ｂに対して取付具３の挿入部３１の幅寸法Ｃはやや大きい寸法であるものの、軸孔３２への連通部３４の幅寸法Ａは寸法Ｂより同じかわずかに小さい寸法となされたものである。
【００１６】
ここで、連通部３４における幅寸法Ａをくびれ部２２の短径部の寸法より同じか僅かに小さい寸法としているのは、一旦くびれ部２２が係止縁部３３の突出された軸孔３２まで挿入された後には、くびれ部２２が容易に挿入部３１へ逆戻りしないように連通部３４がストッパーの役目を果たすようになされており、支柱相互の交差角度が平行状態の場合においても簡単に接続の外れることのないようになされたものである。
【００１７】
また、取付具２，３の背面にはそれぞれ取付具に相対して慴動面２３，３５が形成されており、取付具２，３を接続させてくびれ部２２を軸として回転させた際には互いに慴動面２３，３５が密接されるような寸法関係で接続がなされて、慴動しながら適当な抵抗力を伴って回動されることによって、支柱相互間にガタつきが生じない状態でしっかりとした接続が維持されるようになっている。
【００１８】
なお、図２に示すように取付具３の軸孔３２は取付具２の係止頭部２１よりも十分な大きさであり、軸孔３２の内方へ突出される係止縁部３３の寸法がくびれ部２２の円形部分の直径寸法にほぼ同一か僅かに大きいものとなされているため、係止頭部２１はその取付具３の係止縁部３３に係止されて取付具２と取付具３とは分離不可能に接続され、通常の使用時にかかる接続強度以外の、不意な人や園芸作業具の強い接触力や強い風雨等の力によっても外れることなく、接続方法が強制力（無理嵌め）によらないため一定の接続強度を持続して確保できるように安定して接続され、耐久性においても優れたものとなっている。
【００１９】
本発明に係る園芸支柱用交差留め具が用いられる支柱１，１´としては、鋼管やアルミニウム管等金属パイプに塩化ビニルやポリエチレン，ポリプロピレン等の熱可塑性樹脂が被覆されたものや、金属パイプに粉体塗装や流動浸漬等による肉厚の塗膜が形成されたものが一定の外径寸法を維持していて、かつ耐候性にも優れる等の利点から好適に用いられ、一般的には外形が８ｍｍ〜２０ｍｍのものが多用される。
【００２０】
本発明園芸支柱用交差留め具としては、ポリアセタール，ポリエチレン，ポリプロピレン，ナイロン，ポリカーボネート等の熱可塑性樹脂による射出成形によって製作され、支柱に挟着固定する際に支柱の外側面に密着して固定される合成樹脂製の弾性体からなり、挟着される支柱の直径寸法に対応した寸法よりも幾分小さくなされた概略Ｃ形の開口部より支柱１，１´の側面から挟着される。
本実施形態の〔実施例〕として、支柱１が８ｍｍφ，支柱１´が１１ｍｍφの場合、例えば取付具２，取付具３の各々本体平均厚さ２ｍｍ、高さ寸法１５ｍｍ、取付具２のくびれ部２２の円形部分の直径５．５ｍｍ，対する取付具３の係止縁部３３が形成する円形の直径（長径部）５．７ｍｍ、また取付具２のくびれ部２２の短径部（断面最小幅寸法）の幅Ｂ＝３．２ｍｍに対して取付具３の挿入部３１の幅Ｃはやや大きい３．５ｍｍ、そして軸孔３２への連通部３４における幅寸法Ａは前記くびれ部２２の短径部の幅より僅かに小さい３．０ｍｍとした。
【００２１】
続いて、本発明園芸支柱用交差留め具の第二の実施形態の例について、以下に図３〜５によって説明する。
図３は組み合わせを表す斜視図、図４は（ａ）：一方の取付具２，（ｂ）：他方の取付具３の各部品図、図５は取付具２のくびれ部を取付具３の挿入部から挿入させた軸孔でのくびれ部の回転状況を説明する一部断面の正面図である。
【００２２】
図３は、上述した本発明園芸支柱用交差留め具の第一の実施形態の例と同様、支柱１，１´に挟着される一対の取付具２，３が背面で回動自在に接続されて、図７に示す園芸用途において互いに交差される支柱の固定に用いられるもので、取付具２の支柱１への支柱挟着面２０の背面にくびれ部２２を有するツバ付き状の係止頭部２１が形成され、対する取付具３の支柱挟着面３０の背面に取付具２のくびれ部２２が挿入される挿入部３１が設けられるとともに、この挿入部３１に連通して軸孔３２が設けられ、さらに軸孔３２の内方へ突出される係止縁部３３が形成され、この係止縁部３３に取付具２の係止頭部２１が係止されて取付具２のくびれ部２２を軸として取付具２が取付具３に保持されてなるものである。
【００２３】
本実施形態の例では、取付具２のくびれ部２２を有するツバ状の係止頭部２１は第一の実施形態の例と同じ形状となされ、対する取付具３の挿入部３１は前記係止頭部２１の外形よりも大きな外形の孔部からなり、その深さ寸法は取付具２のくびれ部２２，係止頭部２１を嵌め込み、取付具２および取付具３それぞれの支柱挟着面２０，３０の背面（概略Ｃ形の開口部の正反対側）にはそれぞれ相対して慴動面２３，３５が形成されてそれらをほぼ密着させるに十分な寸法関係となされ、それらが慴動しながら適当な抵抗力を伴って回動可能な構成となされ、またこの挿入部３１に連通して軸孔３２が設けられ、軸孔３２から内方へと突出したくびれ部２２の円形部分の直径寸法より僅かに大きい円形状の係止縁部３３が形成され、取付具２と取付具３とがくびれ部２２を軸として回動自在に接続されるとともに、取付具３の係止縁部３３に取付具２の係止頭部２１が係止されて、取付具２と取付具３とが分離不可能に接続されるようになっている。ここで、取付具２のくびれ部２２の断面は長径部（寸法：Ｄ）と短径部（寸法：Ｂ）とを有する非円形状となされているとともに、取付具３の挿入部３１に連通する軸孔３２へはくびれ部２２の短径部の幅寸法Ｂよりも同じかわずかに小さい寸法となされた連通部３４が形成され、前述第一の実施形態例の場合と同様に、係止縁部３３に導かれた取付具２のくびれ部２２が挿入部３１へ逆戻りを防止された状態で接続がなされる。
【００２４】
本実施形態の実施例についても、前述した第一の実施形態の例の寸法に準じて設計がなされればよいが、２つの取付具を組み合わせる際には支柱の長さ方向にスライドさせるために高さ寸法は、例えば前述した実施例程度の大きさの部品の場合高さ２０ｍｍ程度と第一の実施形態の例よりは若干大きめの外形寸法となるものの、外観上取付具３の挿入部３１がこの交差留め具を組み立て後においては現れることがないのでデザイン面ではスッキリと収まる。
この他、第一の実施形態の如き一方に開いた挿入部が取付具の下側から設けられる形態での設計がなされた場合には、取付具の高さ寸法も第一の実施の形態例並みの寸法に仕上げることが出来、また外観面でも挿入部の開口部が下側にあり目立たずに、寸法もコンパクトにそしてデザインもスッキリと収まり好ましい。
【００２５】
なお、前述したいずれの実施形態の例においても係止縁部３３に導かれた取付具２のくびれ部２２が挿入部３１へ逆戻りするのを防止するために、取付具３の挿入部３１に連通する軸孔３２へはくびれ部２２の断面最小幅の寸法より同じかわずかに小さい幅寸法となされた連通部３４が設けられているが、挿入部３１に開口部が設けられている場合には、取付具２のくびれ部２２の断面最小幅部分が取付具３の連通部３４を通過する際に挿入部３１の開口部が開いて連通部３４の部分がやや大きめに拡がるため、前記くびれ部２２の断面最小幅の寸法との差を大きめにとって連通部３４の幅寸法を小さめに設計することができ、取付具２のくびれ部２２の挿入部３１への逆戻りをよりしっかりと防止できて好ましい。
【００２６】
最後に、取付具２と取付具３とをより強固に接続させるための仕様について、図６によって説明する。
すなわち、図６の実施形態例においては、図１，図２によって詳述した本発明園芸支柱用交差留め具の第一の実施形態例を例に挙げて説明するものであるが、図６（ａ）においては、取付具２の慴動面３５に挿入部３１から軸孔３２に至る方向に対しほぼ直交する方向に形成された突条３６が形成され、その突条３６は軸孔３２をはさんでその両側に形成されたものである。
【００２７】
取付具２，３の背面には、前述したようにそれぞれの取付具に相対して慴動面２３，３５が形成され、取付具２，３を接続させた際に慴動面２３，３５が密接状態に合わされてそれらが慴動しながら適当な抵抗力を伴って接続されることで相互間にガタつきが生じない状態となされたものであるが、一般にプラスチック材料によって成型された取付具２，３の様な成型品の場合、０．１〜０．２ｍｍ程度の寸法公差をもって成型されており、その公差をもってしても取付具２，３相互の密接状態変動は現れ、あるいは慴動面２３，３５の表面自体±０．１ｍｍ程度の凹凸面となされているために取付具２，３相互の密接状態変動は避けられるものではなく、取付具２，３それぞれの慴動面２３，３５を互いにさらに強く押圧させる必要がある。図６に表す実施形態の例はかかる目的のためになされたものであって、本発明に係る園芸支柱用交差留め具の、一対の取付具の慴動面の少なくともいずれか一方の表面に、他方の取付具の慴動面を押圧する凸部を形成させようとするものである。
【００２８】
すなわち、本来取付具２，３背面の慴動面２３，３５が互いに密接して適当な抵抗力（つまり、軽い押圧力）を伴って接続されるものであるが、慴動面２３，３５の表面の微細な凹凸や成型による寸法公差の影響によって生じる密接状態の変動（不安定）を一対の取付具２，３の慴動面の少なくともいずれか一方の表面に他方の取付具の慴動面を押圧する凸部を形成させ、その凸部に集中してかかるより強力な押圧力を伴った密接状態にしようとするものである。
【００２９】
この凸部の形態は、点状のものが慴動面散在したものや線状に設けられる突条等であればよく、慴動面２３，３５の少なくともいずれか一方の表面に形成されればよい。そして、凸部が突条となされ、挿入部から軸孔に至る方向に対しほぼ直交する方向に形成された場合には、取付具２のくびれ部２２を取付具３の挿入部３１から挿入した後この挿入部３１に連通して設けられた軸孔３２へと通してゆく際に、突条３６が挿入部から軸孔に至る方向に対しほぼ直交していることによって取付具２の挿入方向に対して左右に均等な押圧力がかかって安定して接続でき、かつその突条が軸孔をはさんでその両側に形成されておれば、取付具３の慴動面３５のほぼ中央に突条３６が位置することとなり、図６（ｂ）に示す様に取付具２のくびれ部２２を取付具３の挿入部３１に軽く半分程までは容易に挿入でき、その後いっきに押し込むことによって接続された後に強い押圧力を安定して得ることができるので好ましい。
【００３０】
なお、前述した〔実施例〕の検討では、取付具がおよそ１５〜２０ｍｍ角程の寸法の慴動面を有する場合、凸部（突条など）の高さ寸法は０．１〜０．２ｍｍ程度のものが好適な押圧力が得られ、安定した密接した抵抗力を保った状態で、取付具２と取付具３とを回動させるのにも都合のよい接続強度が得られた。
【００３１】
【発明の効果】
本発明園芸支柱用交差留め具は、以上に述べたように互いに交差される支柱のそれぞれの側面から挟着される一対の略Ｃ形の取付具から構成され、一方の取付具の支柱挟着面の背面にはくびれ部を有するツバ付き状の係止頭部が形成され、他方の取付具の支柱挟着面の背面には一方の取付具の前記くびれ部が挿入される挿入部が設けられるとともに、この挿入部に連通して軸孔が設けられ、この軸孔の内方へ突出される係止縁部が形成され、この係止縁部に係止頭部が係止されて一方の取付具が他方の取付具にくびれ部を軸として回動自在に保持されてなる合成樹脂製の弾性体からなる園芸支柱用交差留め具であって、くびれ部の断面は長径部と短径部とを有する非円形状となされ、他方の取付具の挿入部から軸孔への連通部における幅寸法が、くびれ部の短径部の幅寸法よりわずかに小さい寸法となされて、一旦くびれ部が係止縁部の突出された軸孔まで挿入された後には、くびれ部が長径部のみならず短径部からも挿入部へ逆戻りしないようになされているため、２つの取付具の接続が安定した接続方法によって一定の接続強度を持続して確保できるとともに、交差留め具の接続部を通常の使用中にかかる接続強度以外の人や園芸作業具の強い接触や強い風雨等の力がかかった場合にも容易に外れることなく、さらには強制力（無理嵌め）によらない安定した接続方法で構成されているため繰り返し使用による組立性能の低下が無く、耐久性においても優れた園芸支柱用交差留め具が提供されるのに加えて、一旦一方の取付具のくびれ部を他方の取付具の挿入部から挿入させて軸孔から突出された係止縁部まで達した後に、くびれ部が容易に挿入部へ逆戻りしないように連通部がストッパーの役目を果たしており、支柱交差角度が平行状態においても簡単に接続が外れることがなく仮留め状態となされて組み立て作業性が向上する。
【００３５】
また、互いに交差される支柱のそれぞれの側面から挟着される一対の略Ｃ形の取付具から構成され、一方の取付具の支柱挟着面の背面にはくびれ部を有するツバ付き状の係止頭部が形成され、他方の取付具の支柱挟着面の背面には一方の取付具の前記くびれ部が挿入される挿入部が設けられるとともに、この挿入部に連通して軸孔が設けられ、この軸孔の内方へ突出される係止縁部が形成され、この係止縁部に係止頭部が係止されて一方の取付具が他方の取付具にくびれ部を軸として回動自在に保持されてなり、前記一対の取付具は、くびれ部の中心を軸として回動させた際互いに慴動する慴動面がそれぞれの取付具の背面に相対して形成され、前記した一対の取付具の慴動面の少なくともいずれか一方の表面に他方の取付具の慴動面を押圧する凸部が設けられた場合には、取付具を接続させて後くびれ部を軸として回転させた際に互いに慴動面が密接されて、慴動しながら適当な抵抗力を伴って回動されるために、支柱相互間にガタつきが生じることなくしっかりとした接続がなされて、慴動面の表面の微細な凹凸や成型による寸法公差による密接状態の変動の影響を受けることなく、それぞれの取付具が接続された場合に安定して強い押圧力を得ることができるので好ましい。
【００３６】
さらにまた、本発明園芸支柱用交差留め具において、その凸部は、挿入部から軸孔に至る方向に対しほぼ直交する方向に形成された突条となされた場合には、突条が挿入部から軸孔に至る方向に対しほぼ直交していることによって取付具の挿入方向に対して左右に均等な押圧力がかかって安定して接続でき、その突条が軸孔をはさんでその両側に形成されている場合には、取付具の慴動面のほぼ中央に突条が位置することとなって、取付具のくびれ部を取付具の挿入部に軽く半分程までは容易に挿入でき、その後いっきに押し込むことによって接続された後に強い押圧力を安定して得ることができるので好ましい。
【図面の簡単な説明】
【図１】本発明の第一の実施形態例の組み合わせを表す斜視図である。
【図２】図１の実施形態例の接続を説明する一部断面の正面図である。
【図３】本発明の第二の実施形態例の組み合わせを表す斜視図である。
【図４】図３の実施形態例に用いる取付具２つの各部品図である。
【図５】図３の実施形態例の接続を説明する一部断面の正面図である。
【図６】図１の実施形態例にさらに一部機能的付加をした加工仕様について説明する、（ａ）：斜視図、（ｂ）：その動作について説明する側面図である。
【図７】本発明園芸支柱用交差留め具を適用して、互いに交差される支柱が固定されて組み立てられる園芸用途展開例を表す（ａ）〜（ｄ）の斜視図である。
【符号の説明】
１，１´  支柱
２        取付具（突起部側）
２０      支柱挟着面
２１      係止頭部
２２      くびれ部
２３      慴動面
３        取付具（軸孔部側）
３０      支柱挟着面
３１      挿入部
３２      軸孔
３３      係止縁部
３４      連通部
３５      慴動面
３６      突条
【図１】
0004223695.tif 000002
【図２】
0004223695.tif 000003
【図３】
0004223695.tif 000004
【図４】
0004223695.tif 000005
【図５】
0004223695.tif 000006
【図６】
0004223695.tif 000007
【図７】
0004223695.tif 000008